(57)【要約】【課題】簡便な犬の無駄吠え防止具としての、犬の無駄吠え防止シールを提供する。【解決手段】犬の無駄吠え防止シール１０は、犬Ｄの頭部Ｄ１に貼り付けて無駄吠えを防止するシールであって、犬の目の上部位置Ｄ２から耳Ｄ３にかかる位置Ｄ４に亘って貼られる大きさを有している。犬が無駄吠えしたとき（あるいは無駄吠えしそうなとき）、例えば飼い主が犬の頭部Ｄ１に貼り付ける。すると、無駄吠え防止シール１０を貼られた犬は、違和感ないし不快感を覚えるとともに、シール１０が耳Ｄ３のそばで異音を発する（特に、犬が吠えると犬の頭部Ｄ１の動きに応じてシール１０が動くため異音が発生しやすくなる）ため、無駄吠えしなくなる。【選択図】図１
2014045738.tif 000002
【特許請求の範囲】
【請求項１】
犬の頭部に貼り付けて無駄吠えを防止するシールであって、犬の目の上部位置から耳にかかる位置に亘って貼られる大きさを有していることを特徴とする犬の無駄吠え防止シール。
【請求項２】
円形のシールであることを特徴とする請求項１記載の犬の無駄吠え防止シール。
【発明の詳細な説明】
【技術分野】
【０００１】
本発明は、犬の無駄吠え防止シールに関するものである。
【背景技術】
【０００２】
従来、犬の無駄吠え防止具として、例えば特許文献１に見られるような無駄吠え防止用首輪が知られている。同文献の符号を借りて説明すると、この無駄吠え防止用首輪は、犬の首に取り付けるための首輪（２）であって、首輪（２）に、犬の吠え声を感知すると振動する振動ユニット（１０）が設けられており、振動ユニット（１０）が、モータ（２１）と、モータ（２１）の主軸に取り付けられた回転部材（２２）と、犬の吠え声を感知すると、感知信号を発信する音声認識センサ（２３）と、音声認識センサ（２３）からの感知信号を受けると、モータ（２１）を回転させる制御装置（２５）と、モータ（２１）、音声認識センサ（２３）および制御装置（２５）に電力を供給する電源（２４）とからなり、回転部材（２２）の重心が、モータ（２１）の主軸に対して偏心している。
この無駄吠え防止用首輪は、「犬が吠えると、振動ユニット（１０）が振動し、首輪（２）が振動する。すると、この首輪（２）の振動が犬に伝わり、犬に不快感を与えることができるので、犬が吠えるのを防止することができる。」というものである。
（以上、同文献の要約より）
【先行技術文献】
【特許文献】
【０００３】
【特許文献１】特開２００２−１７１８６０号公報
【発明の概要】
【発明が解決しようとする課題】
【０００４】
上述した従来の犬の無駄吠え防止具は、その構造が大がかりで複雑である。
本発明が解決しようとする課題は、簡便な犬の無駄吠え防止具としての、犬の無駄吠え防止シールを提供することである。
【課題を解決するための手段】
【０００５】
上記課題を解決するために本発明の犬の無駄吠え防止シールは、犬の頭部に貼り付けて無駄吠えを防止するシールであって、犬の目の上部位置から耳にかかる位置に亘って貼られる大きさを有していることを特徴とする。
この犬の無駄吠え防止シールは、犬が無駄吠えしたとき（あるいは無駄吠えしそうなとき）、例えば飼い主が犬の頭部に貼り付ける。その際、犬の目の上部位置から耳にかかる位置に亘って貼るようにする。
すると、無駄吠え防止シールを貼られた犬は、違和感ないし不快感を覚える。また、シールをとろうとして身震い等するとシールが耳のそばで音を発する。そのため、犬は、吠えることよりも、シールを貼られたことによる違和感ないし不快感、あるいはシールをとろうとしたときのシールの音に集中し、結果として、無駄吠えしなくなる。
しかも、この無駄吠え防止シールは、犬の目の上部位置から耳にかかる位置に亘って貼られるから、その貼り方および犬の種類によっては、シールの前部が犬の視界に入ることとなって、犬に視覚上の違和感（不快感）も与え、一層、無駄吠えが防止されることとなる。
以上のように、この無駄吠え防止シールによれば、犬の目の上部位置から耳にかかる位置に亘って貼るだけで、犬の無駄吠えを防止する（少なくとも大いに抑制する）ことができる。
望ましくは、この無駄吠え防止シールは、円形のシールとする。
このように構成すると、犬の頭部に貼る際、シールの方向性を考えずに貼ることができるので、速やかにはることができ、したがって、速やかに犬の無駄吠えを防止することができる。
【図面の簡単な説明】
【０００６】
【図１】本発明に係る犬の無駄吠え防止シールの一実施の形態の使用状態を示す概略図で、（ａ）は無駄吠え防止シールが貼られた犬の側面図、（ｂ）は図（ａ）の部分正面図。
【図２】本発明に係る犬の無駄吠え防止シールの一実施の形態を示す図で、（ａ）は平面図、（ｂ）は底面図、（ｃ）は剥離紙を設けた場合の斜視図、（ｄ）は（ｃ）の部分省略拡大断面図。
【図３】無駄吠え防止シール１０を複数枚積層した場合の斜視図。
【発明を実施するための形態】
【０００７】
以下、本発明に係る犬の無駄吠え防止シールの実施の形態について図面を参照して説明する。なお、各図において、同一部分ないし相当する部分には、同一の符号を付してある。
【０００８】
図１に示すように、この犬の無駄吠え防止シール１０は、犬Ｄの頭部Ｄ１に貼り付けて無駄吠えを防止するシールであって、犬の目の上部位置Ｄ２から耳Ｄ３にかかる位置Ｄ４に亘って貼られる大きさを有している。
【０００９】
この犬の無駄吠え防止シール１０は、犬が無駄吠えしたとき（あるいは無駄吠えしそうなとき）、例えば飼い主が犬の頭部Ｄ１に貼り付ける。その際、犬の目の上部位置Ｄ２から耳Ｄ３にかかる位置Ｄ４に亘って貼るようにする。
すると、無駄吠え防止シール１０を貼られた犬は、違和感ないし不快感を覚える。また、シール１０をとろうとして身震い等するとシール１０が耳Ｄ３のそばで音を発する。そのため、犬は、吠えることよりも、シール１０を貼られたことによる違和感ないし不快感、あるいはシール１０をとろうとしたときのシール１０の音に集中し、結果として、無駄吠えしなくなる。
しかも、この無駄吠え防止シール１０は、犬の目の上部位置Ｄ２から耳Ｄ３にかかる位置Ｄ４に亘って貼られるから、その貼り方および犬の種類によっては、シール１０の前部１０ｆが犬の視界に入ることとなって、犬に視覚上の違和感（不快感）も与え、一層、無駄吠えが防止されることとなる。
【００１０】
以上のように、この無駄吠え防止シール１０によれば、犬の目の上部位置Ｄ２から耳Ｄ３にかかる位置Ｄ４に亘って貼るだけで、犬の無駄吠えを防止する（少なくとも大いに抑制する）ことができる。
【００１１】
無駄吠え防止シール１０は、種々の形状、例えば、四角形、五角形、六角形、楕円形等々を採用することができが、図示のように円形とすることが望ましい。
このように構成すると、犬の頭部Ｄ１に貼る際、シール１０の方向性を考えずに貼ることができるので、速やかにはることができ、したがって、速やかに犬の無駄吠えを防止することができる。
なお、無駄吠え防止シール１０の大きさも、犬の頭部の大きさに合わせて適宜選択できる。
【００１２】
無駄吠え防止シール１０は、犬の目の上部位置Ｄ２から耳Ｄ３にかかる位置Ｄ４に亘って貼ることができる構造を有していれば、適宜の構造を採用し得る。
例えば、図２に示すように、シール１０は、基材１１の裏面１１ｂに粘着剤１２を塗布した構造とする。
【００１３】
基材１１としては、犬の頭部に貼るのに適した強度および柔軟性を有しているシートを採用することができる。例えば、紙（上質紙、アート紙、キャストコート紙、セロファン紙等）、フィルム（ユポフィルム、ＰＥＴフィルム、塩ビフィルム、等）等を採用し得る。
【００１４】
粘着剤１２としては、基材１１の裏面１１ｂに塗布、印刷等によって設けることができ、基材１１を犬の頭部に貼ることができるとともに、使用後に剥がし易い粘着力を有しているものを採用する。例えば、公知の弱粘着シールに用いられる粘着剤と同程度、あるいはそれ以下で犬の頭部に貼ることのできる粘着力を有する粘着剤を採用する。
粘着剤１２の接着性および再剥離性については、例えば、図２（ｂ）に示すような格子状に設ける他、ドット状に設けることによって調整することもできる。
粘着剤１２は、図２（ｃ）（ｄ）に示すように、公知の剥離紙１３で被覆する。
【００１５】
基材１１の裏面１１ｂの縁部には、粘着剤を塗布しない、被粘着領域１１ｂ１を設ける。
被粘着領域１１ｂ１を設けることによって、使用時に剥離紙１３を剥がし易くなるし、使用後に、犬の頭部Ｄ１から無駄吠え防止シール１０を剥がし易くなる。
【００１６】
犬の無駄吠え防止シール１０を複数枚用意してユーザーに提供する場合には、例えば図３に示すように台紙２０上に複数枚の無駄吠え防止シール１０を積層して提供することができる。この場、基材１１の表面１１ｓには粘着剤１２に対する剥離性を持たせる。
【００１７】
以上、本発明の実施の形態について説明したが、本発明は上記の実施の形態に限定されるものではなく、本発明の要旨の範囲内において適宜変形実施可能である。
【符号の説明】
【００１８】
１０：    無駄吠え防止シール
Ｄ：犬
Ｄ１：犬の頭部
Ｄ２：犬の目の上部位置
Ｄ３：耳
Ｄ４：耳にかかる位置
【図１】
2014045738.tif 000003
【図２】
2014045738.tif 000004
【図３】
2014045738.tif 000005